(57)【特許請求の範囲】
【請求項１】
被写体に放射線を照射して放射線画像撮影を行うための少なくとも１つの撮影室と、
前記撮影室内で行われた放射線画像撮影で画像データを取得し、かつ、前記画像データに基づいて前記画像データが所定の割合で間引かれた間引きデータを作成する可搬型放射線画像撮影装置と、
前記可搬型放射線画像撮影装置から送信されてきた前記画像データに画像処理を施して最終的な診断用放射線画像を得るコンソールと、
前記可搬型放射線画像撮影装置が前記撮影室に存在するか否かを管理する前記コンソールと一体または別体の管理装置と、
前記撮影室に設けられ、当該撮影室に持ち込まれた前記可搬型放射線画像撮影装置の識別情報を読み取って前記コンソールおよび前記管理装置に通知し、かつ、表示手段を備えた登録手段と、
を備え、
前記コンソールは、前記可搬型放射線画像撮影装置から前記間引きデータが送信されてくると、当該間引きデータを前記登録手段に転送し、
前記登録手段は、前記コンソールから転送された前記間引きデータを前記表示手段に表示し、
前記管理装置は、前記登録手段から前記可搬型放射線画像撮影装置の識別情報が通知されると、前記撮影室の識別情報と当該可搬型放射線画像撮影装置の識別情報とを対応付けて記憶することを特徴とする放射線画像撮影システム。
【請求項２】
前記撮影室を複数備え、
前記登録手段は、前記複数の撮影室にそれぞれ設けられ、
前記管理装置は、前記登録手段から前記可搬型放射線画像撮影装置の識別情報が通知されると、当該登録手段を備える前記撮影室の識別情報と前記可搬型放射線画像撮影装置の識別情報とを対応付けて記憶して当該可搬型放射線画像撮影装置が前記複数の撮影室のいずれに存在するかを管理するとともに、当該可搬型放射線画像撮影装置の識別情報が他の撮影室の識別情報と対応付けられていた場合にはその対応付けを破棄し、
前記コンソールは、前記可搬型放射線画像撮影装置から前記間引きデータが送信されてくると、当該間引きデータを当該可搬型放射線画像撮影装置が存在する前記撮影室の前記登録手段に転送することを特徴とする請求項１に記載の放射線画像撮影システム。
【請求項３】
前記コンソールを複数備え、
前記コンソールは、当該コンソールで前記複数の撮影室の中から１つの撮影室が選択されることにより、選択された当該撮影室と対応付けられるとともに、当該撮影室に存在する前記可搬型放射線画像撮影装置から前記間引きデータが送信されてくると、当該間引きデータを当該撮影室の前記登録手段に転送することを特徴とする請求項２に記載の放射線画像撮影システム。
【請求項４】
前記可搬型放射線画像撮影装置は、前記間引きデータを前記コンソールに送信した後、当該間引きデータに対応する前記画像データを前記コンソールに送信することを特徴とする請求項１から請求項３のいずれか一項に記載の放射線画像撮影システム。
【発明の詳細な説明】
【技術分野】
【０００１】
本発明は、放射線画像撮影システムに係り、特に、放射線画像撮影を行う撮影室と放射線画像撮影で得られた画像データを画像処理するコンソールとを備える放射線画像撮影システムに関するものである。
【背景技術】
【０００２】
照射されたＸ線等の放射線の線量に応じて検出素子で電荷を発生させて電気信号に変換するいわゆる直接型の放射線画像撮影装置や、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００３】
このタイプの放射線画像撮影装置はＦＰＤ（Flat Panel Detector）として知られており、従来は支持台（或いはブッキー装置）と一体的に形成されていたが（例えば特許文献１、２参照）、近年、放射線検出素子等をハウジングに収納した可搬型の放射線画像撮影装置が開発され、実用化されている（例えば特許文献３、４参照）。
【０００４】
ところで、放射線画像撮影が行われ、放射線画像撮影装置に正しく被写体が撮影されているか否か、すなわち被写体が放射線画像上に撮影されているか否かや放射線画像上の適切な位置に被写体が撮影されているか否か等は、放射線技師等の操作者が実際に撮影された画像を見て判断する。
【０００５】
その際、放射線画像撮影装置にモニタ等の表示部を設けておき、撮影された画像を表示部に表示させて確認するように構成することも考えられるが、特に、放射線画像撮影装置が可搬型の放射線画像撮影装置であり、ブッキー装置に装填されて使用されるような場合、放射線画像撮影装置がブッキー装置に装填された状態ではモニタが見えない場合も少なくなく、使い勝手が必ずしも良くない。
【０００６】
また、放射線画像撮影装置で撮影された画像データが、コンピュータ等で構成される撮影室外のコンソールで画像処理され、最終的な診断用放射線画像が作成されるように構成されることも多いが、このような場合、放射線画像撮影後、操作者がいちいち撮影室外に出てコンソールの所に行って確認するのでは、操作者にとって非常に不便なものとなる。
【０００７】
そこで、特許文献１では、支持台と一体となった放射線画像撮影装置の場合ではあるが、立位撮影用や臥位撮影用の支持台に表示部を設けておき、放射線画像撮影装置から送信された画像データをそれらの表示部に表示して、操作者が撮影室内で確認できるように構成した放射線画像撮影システムが記載されている。
【先行技術文献】
【特許文献】
【０００８】
【特許文献１】特許第３８９０１６３号公報
【特許文献２】特開平９−７３１４４号公報
【特許文献３】特開２００６−０５８１２４号公報
【特許文献４】特開平６−３４２０９９号公報
【発明の概要】
【発明が解決しようとする課題】
【０００９】
しかしながら、特許文献１に記載された放射線画像撮影システムのような場合、支持台と一体となった放射線画像撮影装置を撮影室内に新たに設置する際に、表示部付きの放射線画像撮影装置を設置することに病院等の施設関係者はさほど抵抗感を覚えないが、例えば電気配線等がなされていないブッキー装置等が既に撮影室内に設置されている場合、そのようなブッキー装置等にそれぞれ新たにケーブルを配線して表示部を設置することには、コスト等の問題もあり、抵抗感を覚えるものである。
【００１０】
また、支持台と一体となった放射線画像撮影装置の場合と異なり、放射線画像撮影装置が可搬型である場合には、例えば、１つの放射線画像撮影装置を立位撮影用のブッキー装置と臥位撮影用のブッキー装置の両方で使うことができ、また、それらのブッキー装置に装填せず、単独の状態で例えばベッドと患者の身体との間に配置して用いることも可能となるといった利点がある。
【００１１】
しかし、そのため、逆に、可搬型の放射線画像撮影装置が撮影室内でどのような状態で用いられているか、或いはそもそもその可搬型放射線画像撮影装置が目的の撮影室内に存在するかを的確に管理しないと、例えば、操作者が意図した放射線画像撮影装置とは異なる放射線画像撮影装置で目的の患者を撮影したにもかかわらず、意図した放射線画像撮影装置で撮影したものと勘違いして、誤った放射線画像撮影装置から他人の画像データを読み出して目的の患者の画像データとしてしまうような不都合が生じる虞れがある。
【００１２】
また、例えば、撮影室が複数ある場合に、可搬型の放射線画像撮影装置をある撮影室から他の撮影室に持ち運んだにもかかわらず、コンソール側で当該放射線画像撮影装置が最初の撮影室にあるものとして処理を行ってしまうと、やはり同様の不都合が生じる虞れがある。
【００１３】
このように、可搬型の放射線画像撮影装置を用いる場合、１つの放射線画像撮影装置を立位撮影用のブッキー装置や臥位撮影用のブッキー装置で共用とすることが可能となったり、単独の状態で用いることが可能となるなど種々のメリットがあるが、その分、患者と撮影された放射線画像との対応付けを間違う等のシステム制御上の不具合が発生する懸念がある。
【００１４】
本発明は、上記の点を鑑みてなされたものであり、放射線技師等の操作者の使い勝手がよく、しかも、可搬型放射線画像撮影装置の管理を的確してシステム制御上の不具合の発生を回避して適切な運用を図ることが可能な放射線画像撮影システムを提供することを目的とする。
【課題を解決するための手段】
【００１５】
前記の問題を解決するために、本発明の放射線画像撮影システムは、
被写体に放射線を照射して放射線画像撮影を行うための少なくとも１つの撮影室と、
前記撮影室内で行われた放射線画像撮影で画像データを取得し、かつ、前記画像データに基づいて前記画像データが所定の割合で間引かれた間引きデータを作成する可搬型放射線画像撮影装置と、
前記可搬型放射線画像撮影装置から送信されてきた前記画像データに画像処理を施して最終的な診断用放射線画像を得るコンソールと、
前記可搬型放射線画像撮影装置が前記撮影室に存在するか否かを管理する前記コンソールと一体または別体の管理装置と、
前記撮影室に設けられ、当該撮影室に持ち込まれた前記可搬型放射線画像撮影装置の識別情報を読み取って前記コンソールおよび前記管理装置に通知し、かつ、表示手段を備えた登録手段と、
を備え、
前記コンソールは、前記可搬型放射線画像撮影装置から前記間引きデータが送信されてくると、当該間引きデータを前記登録手段に転送し、
前記登録手段は、前記コンソールから転送された前記間引きデータを前記表示手段に表示し、
前記管理装置は、前記登録手段から前記可搬型放射線画像撮影装置の識別情報が通知されると、前記撮影室の識別情報と当該可搬型放射線画像撮影装置の識別情報とを対応付けて記憶することを特徴とする。
【発明の効果】
【００１６】
本発明のような方式の放射線画像撮影システムによれば、放射線画像撮影後、可搬型放射線画像撮影装置からコンソールに自動的にプレビュー用の間引きデータが送信され、コンソールから転送された間引きデータが自動的に登録手段の表示手段に表示される。そのため、撮影室の前室でＸ線照射スイッチ操作を行い、次の撮影用に前室から撮影室内に戻り、撮影室内にいる放射線技師等の操作者がその場でプレビュー画像を見ることが可能となり、再撮影要否を判断できるので次の撮影に迅速に着手可能となる。そのため、操作者にとって非常に使い勝手がよいものとなる。また、Ｘ線照射スイッチ操作の際に患者を撮影室内に1人きりに放置する時間が極めて短時間になり、患者のケアを十分に行うことが可能となる。
【００１７】
また、可搬型放射線画像撮影装置がある撮影室の登録手段で登録されると、その識別情報が管理装置に通知され、管理装置は、通知されてきた可搬型放射線画像撮影装置の識別情報と撮影室の識別情報とを対応付けて記憶手段に保存する。そのため、管理装置で、目的の可搬型放射線画像撮影装置がいずれの撮影室に存在するか、或いは、その可搬型放射線画像撮影装置がいずれの撮影室Ｒにも存在しないかを的確に管理することが可能となる。
【００１８】
また、目的の可搬型放射線画像撮影装置から目的の患者の画像データを確実に入手することが可能となり、システム制御上の不具合が発生することを的確に回避して、放射線画像撮影システムの適切な運用を図ることが可能となる。
【図面の簡単な説明】
【００１９】
【図１】本実施形態に係る放射線画像撮影システムの全体構成を示す図である。
【図２】本実施形態に係る放射線画像撮影システムの別の全体構成を示す図である。
【図３】本実施形態に係る放射線画像撮影システムの別の全体構成を示す図である。
【図４】本実施形態に係る放射線画像撮影システムの別の全体構成を示す図である。
【図５】本実施形態に係る放射線画像撮影装置の外観斜視図である。
【図６】図５の放射線画像撮影装置を反対側から見た外観斜視図である。
【図７】図５におけるＡ−Ａ線に沿う断面図である。
【図８】放射線画像撮影装置の基板の構成を示す平面図である。
【図９】図８の基板上の小領域に形成された放射線検出素子とＴＦＴ等の構成を示す拡大図である。
【図１０】ＣＯＦやＰＣＢ基板等が取り付けられた基板を説明する側面図である。
【図１１】放射線画像撮影装置の等価回路を表すブロック図である。
【図１２】撮影室の構成を示す図である。
【図１３】放射線画像撮影装置のコネクタと通知手段のコネクタとが接続された状態を表す外観斜視図である。
【図１４】放射線画像撮影装置がクレードルに挿入され、コネクタ同士が接続された状態を表す断面図である。
【図１５】表示手段を備えたクレードルの構成例を示す外観斜視図である。
【図１６】撮影オーダ情報の一例を示す図である。
【図１７】コンソールの表示部に表示される撮影オーダ情報が表示された選択画面の一例を示す図である。
【図１８】コンソールの選択画面に表示されるブッキー装置や放射線画像撮影装置に対応するアイコンの一例を示す図である。
【図１９】コンソールの選択画面に表示されるブッキー装置や放射線画像撮影装置に対応するアイコンの一例を示す図である。
【図２０】図１８の選択画面から番号３の放射線画像撮影装置に対応するアイコンが削除された状態を表す図である。
【発明を実施するための形態】
【００２０】
以下、本発明に係る放射線画像撮影システムの実施の形態について、図面を参照して説明する。ただし、本発明は以下の図示例のものに限定されるものではない。
【００２１】
本実施形態に係る放射線画像撮影システム１００は、病院や医院内で行われる放射線画像撮影を想定したシステムであり、撮影室ＲとコンソールＣと管理装置Ｓとを備えている。
【００２２】
図１に示すように、本実施形態では、放射線画像撮影システム１００が、複数の撮影室Ｒ（Ｒ１〜Ｒ４）と複数のコンソールＣ（Ｃ１〜Ｃ３）とが所定の接続の仕方で接続されており、複数のコンソールＣと、放射線画像撮影システム１００内の情報等を管理するサーバ等からなる管理装置ＳがネットワークＮを介して接続されている場合について説明する。
【００２３】
しかし、放射線画像撮影システム１００は、図１に示した構成のほか、例えば、図２に示すように、複数の撮影室Ｒ（Ｒ１〜Ｒ４）と複数のコンソールＣ（Ｃ１〜Ｃ３）と管理装置Ｓ等がそれぞれネットワークＮを介して接続されるように構成することも可能である。
【００２４】
また、図３や図４に示すように、複数の撮影室Ｒ（Ｒ１〜Ｒ４）と１つのコンソールＣとが所定の接続の仕方で或いはネットワークＮを介して接続されており、コンソールＣと管理装置ＳとがネットワークＮを介して接続されている場合や、さらに、後述する図１２に例示するように、１つの撮影室Ｒと１つのコンソールＣとが接続されている場合にも本発明を適用することが可能である。
【００２５】
また、上記の構成例ではコンソールＣと管理装置Ｓとを別体として示しているが、コンソールＣに管理装置Ｓの機能を持たせる等して、コンソールＣと管理装置Ｓとを一体的に構成することも可能である。特に、コンソールＣを１つだけで使用するような場合には有効である。
【００２６】
さらに、図示を省略するが、ネットワークＮにさらにＨＩＳ（Hospital Information System）やＲＩＳ（Radiology Information System）が接続されるように構成することも可能であり、さらに、例えばコンソールＣから出力された画像データに基づいて放射線画像をフィルムなどの画像記録媒体に記録して出力するイメージャ等が適宜接続される。
【００２７】
ここで、まず、放射線画像撮影システム１００で放射線画像撮影に用いられる可搬型放射線画像撮影装置１について説明する。
【００２８】
なお、以下、可搬型放射線画像撮影装置を単に放射線画像撮影装置と表す。また、以下では、放射線画像撮影装置１として、シンチレータ等を備え、放射された放射線を可視光等の他の波長の電磁波に変換して電気信号を得るいわゆる間接型の放射線画像撮影装置について説明するが、本発明は、シンチレータ等を介さずに放射線を放射線検出素子で直接検出する、いわゆる直接型の放射線画像撮影装置に対しても適用することができる。
【００２９】
図５は、本実施形態に係る放射線画像撮影装置の外観斜視図であり、図６は、放射線画像撮影装置を反対側から見た外観斜視図である。また、図７は、図５のＡ−Ａ線に沿う断面図である。放射線画像撮影装置１は、図５〜図７に示すように、筐体状のハウジング２内にシンチレータ３や基板４等で構成されるセンサパネルＳＰが収納されている。
【００３０】
図５や図６に示すように、本実施形態では、筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。なお、筐体２をこのようないわゆるモノコック型として形成する代わりに、例えば、フレーム板とバック板とで形成された、いわゆる弁当箱型とすることも可能である。
【００３１】
図５に示すように、筐体２の一方側の蓋部材２Ｂには、電源スイッチ３７や、後述する選択スイッチ３８、後述するようにクレードル５５のコネクタ５５ａや通知手段５１ｂのコネクタ５１ｃが接続されるコネクタ３９、バッテリ状態や放射線画像撮影装置１の稼働状態等を表示するＬＥＤ等で構成されたインジケータ４０等が配置されている。
【００３２】
また、図６に示すように、筐体２の反対側の蓋部材２Ｃには、画像データ等をコンソールＣに無線で転送するための通信手段であるアンテナ装置４１が埋め込まれている。なお、画像データ等をコンソールＣに有線方式で転送するように構成することも可能であり、その場合、例えば、前述したコネクタ３９にケーブル等を接続して送受信するように構成される。
【００３３】
筐体２の内部には、図７に示すように、センサパネルＳＰの基板４の下方側に図示しない鉛の薄板等を介して基台３１が配置され、基台３１には、電子部品３２等が配設されたＰＣＢ基板３３や緩衝部材３４等が取り付けられている。
【００３４】
なお、本実施形態では、基板４やシンチレータ３の放射線入射面Ｒには、それらを保護するためのガラス基板３５が配設されている。また、本実施形態では、センサパネルＳＰと筐体２の側面との間に、それらがぶつかり合うことを防止するための緩衝材３６が設けられている。
【００３５】
シンチレータ３は、基板４の後述する検出部Ｐに貼り合わされるようになっている。本実施形態では、シンチレータ３は、例えば、蛍光体を主成分とし、放射線の入射を受けると３００〜８００ｎｍの波長の電磁波、すなわち可視光を中心とした電磁波に変換して出力するものが用いられる。
【００３６】
基板４は、本実施形態では、ガラス基板で構成されており、図８に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００３７】
このように、走査線５と信号線６で区画された各小領域ｒに二次元状に配列された複数の放射線検出素子７が設けられた領域ｒ全体、すなわち図８に一点鎖線で示される領域が検出部Ｐとされている。
【００３８】
本実施形態では、放射線検出素子７としてフォトダイオードが用いられているが、この他にも例えばフォトトランジスタ等を用いることも可能である。各放射線検出素子７は、図８の拡大図である図９に示すように、スイッチ手段であるＴＦＴ８のソース電極８ｓに接続されている。また、ＴＦＴ８のドレイン電極８ｄは信号線６に接続されている。
【００３９】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を保持するようになっている。
【００４０】
本実施形態では、図９に示すように、列状に配置された複数の放射線検出素子７にそれぞれバイアス線９が接続されており、図８に示すように、各バイアス線９は、基板４の検出部Ｐの外側の位置で１本の結線１０に結束されている。
【００４１】
また、各走査線５や各信号線６、バイアス線９の結線１０は、それぞれ基板４の端縁部付近に設けられた入出力端子（パッドともいう）１１に接続されている。各入出力端子１１には、図１０に示すように、ＩＣ１２ａ等のチップが組み込まれたＣＯＦ（Chip On Film）１２が異方性導電接着フィルム（Anisotropic Conductive Film）や異方性導電ペースト（Anisotropic Conductive Paste）等の異方性導電性接着材料１３を介して接続されている。
【００４２】
また、ＣＯＦ１２は、基板４の裏面４ｂ側に引き回され、裏面４ｂ側で前述したＰＣＢ基板３３に接続されるようになっている。このようにして、放射線画像撮影装置１のセンサパネルＳＰの基板４部分が形成されている。なお、図１０では、電子部品３２等の図示が省略されている。
【００４３】
ここで、図１１を用いて放射線画像撮影装置１の回路構成について説明する。
【００４４】
各放射線検出素子７の一方の電極にはそれぞれバイアス線９が接続されており、各バイアス線９は結線１０に結束されてバイアス電源１４に接続されている。バイアス電源１４は、結線１０および各バイアス線９を介して各放射線検出素子７の電極にそれぞれバイアス電圧（本実施形態では逆バイアス電圧）を印加するようになっている。
【００４５】
また、各放射線検出素子７の他方の電極はＴＦＴ８のソース電極８ｓ（図１１中ではＳと表記されている。）に接続されており、各ＴＦＴ８のゲート電極８ｇ（図１１中ではＧと表記されている。）は、走査駆動手段１５のゲートドライバ１５ｂから延びる走査線５の各ラインＬ１〜Ｌｘにそれぞれ接続されている。また、各ＴＦＴ８のドレイン電極８ｄ（図１１中ではＤと表記されている。）は各信号線６にそれぞれ接続されている。
【００４６】
走査駆動手段１５は、ゲートドライバ１５ｂにオン電圧やオフ電圧を供給する電源回路１５ａと、走査線５の各ラインＬ１〜Ｌｘに印加する電圧をオン電圧とオフ電圧の間で切り替えるゲートドライバ１５ｂとを備えている。ゲートドライバ１５ｂは、前述したように、走査線５の各ラインＬ１〜Ｌｘを介してＴＦＴ８のゲート電極８ｇに印加する電圧をオン電圧とオフ電圧との間で切り替えて、各ＴＦＴ８のオン状態とオフ状態とを制御するようになっている。
【００４７】
また、各信号線６は、読み出しＩＣ１６内に形成された各読み出し回路１７にそれぞれ接続されている。読み出し回路１７は、増幅回路１８と、相関二重サンプリング（Correlated Double Sampling）回路１９と、アナログマルチプレクサ２１と、Ａ／Ｄ変換器２０とで構成されている。
【００４８】
例えば、放射線画像撮影で被写体を介して放射線画像撮影装置１に放射線が照射され、シンチレータ３で放射線が他の波長の電磁波に変換されて、その直下の放射線検出素子７に照射される。そして、放射線検出素子７で照射された放射線の線量（電磁波の光量）に応じて電荷（電気信号）が発生する。
【００４９】
各放射線検出素子７からの電荷の読み出し処理においては、走査駆動手段１５のゲートドライバ１５ｂから走査線５の各ラインＬ１〜Ｌｘを介してゲート電極８ｇにオン電圧が印加されたＴＦＴ８がオン状態となり、放射線検出素子７から信号線６に電荷が放出される。
【００５０】
そして、放射線検出素子７から放出された電荷量に応じて増幅回路１８から電圧値が出力され、それを相関二重サンプリング回路１９で相関二重サンプリングしてアナログ値の画像データＤがマルチプレクサ２１に出力される。マルチプレクサ２１から順次出力された画像データＤは、Ａ／Ｄ変換器２０で順次デジタル値の画像データＤに変換され、記憶手段２３に出力されて順次保存されるようになっている。
【００５１】
制御手段２２は、ＣＰＵ（Central Processing Unit）やＲＯＭ（Read Only Memory）、ＲＡＭ（Random Access Memory）、入出力インターフェース等がバスに接続されたコンピュータや、ＦＰＧＡ（Field Programmable Gate Array）等により構成されている。専用の制御回路で構成されていてもよい。
【００５２】
制御手段２２は、放射線画像撮影装置１の各部材の動作等を制御するようになっている。また、各放射線検出素子７のリセット処理や各放射線検出素子７からの電荷の読み出し処理、オフセット補正値を算出するために放射線を照射しない状態で放射線画像撮影装置１を放置した後に読み出し処理と同様に各放射線検出素子７に蓄積された暗電荷を読み出すダーク読取処理等の各処理を行うようになっている。
【００５３】
制御手段２２には、ＤＲＡＭ（Dynamic ＲＡＭ）等で構成される記憶手段２３や、放射線画像撮影装置１の各機能部に電力を供給するバッテリ２４が接続されている。また、制御手段２２には、前述したアンテナ装置４１が接続されており、また、図１１では図示を省略するが、前述した電源スイッチ３７や選択スイッチ３８、コネクタ３９等（図５参照）が接続されている。
【００５４】
制御手段２２は、放射線技師等の操作者により選択スイッチ３８が押下されると、自らが選択されたことを示す選択信号をアンテナ装置４１を介してコンソールＣに送信するようになっている。また、後述するように、放射線画像撮影装置１がクレードル５５に挿入された際に、コネクタ３９がクレードル５５のコネクタ５５ａに接続されると、制御手段２２は、当該放射線画像撮影装置１の識別情報であるカセッテＩＤ等の情報をクレードル５５に通知するようになっている。
【００５５】
また、コネクタ３９が後述する通知手段５１ｂ（図１２参照）のコネクタ５１ｃに接続されると、制御手段２２は、通知手段５１ｂから後述するブッキー装置５１の識別情報であるブッキーＩＤ等の情報を取得し、ブッキーＩＤと当該放射線画像撮影装置１のカセッテＩＤとをともにコンソールＣに送信するようになっている。
【００５６】
さらに、制御手段２２は、放射線画像撮影が行われると、上記のようにして各放射線検出素子７から電荷（画像データＤ）を読み出す読み出し処理を行うが、各放射線検出素子７から読み出し記憶手段２３に保存した各画像データＤに基づいて各画像データＤを所定の割合で間引いてプレビュー用の間引きデータＤｔを作成するようになっている。
【００５７】
そして、放射線画像撮影が終了して各放射線検出素子７から画像データＤが読み出されて記憶手段２３に保存されると、即座に間引きデータＤｔを作成し、間引きデータＤｔを作成するとすぐにアンテナ装置４１を介して間引きデータＤｔをコンソールＣに送信するようになっている。この間引きデータＤｔの送信は、放射線画像撮影ごとに行われる。
【００５８】
間引きデータＤｔは、例えば、二次元状に配列された各放射線検出素子７に対応して各画像データＤを配列した場合に３×３画素や４×４画素ごとに１画素分の画像データＤを抽出するようにして作成してもよく、或いは、走査線５の各ラインＬ１、Ｌ４、Ｌ７、…にそれぞれ接続された各放射線検出素子７からの画像データＤのように、走査線５の所定の間隔ごとの各ラインＬｎに接続された各放射線検出素子７からの画像データＤを抽出して作成するように構成することも可能である。
【００５９】
また、本実施形態では、制御手段２２は、間引きデータＤｔをコンソールＣに送信した後で、当該間引きデータＤｔの作成の基となった対応する画像データＤをコンソールＣに送信するようになっている。
【００６０】
また、単独或いは一連の放射線画像撮影が終了すると、制御手段２２は、これらの放射線画像撮影で得られた画像データＤに対する画像処理のうちオフセット補正のためのデータを得るために、いわゆるダーク読取処理を行うようになっている。
【００６１】
ダーク読取処理では、放射線画像撮影装置１の各ＴＦＴ８をオフ状態とし、放射線画像撮影装置１に放射線が照射されない状態で所定時間放置した後、上記の読み出し処理と同様にして各放射線検出素子７からそれらに蓄積された暗電荷等がいわゆるダーク読取値ｄとして読み出され、記憶手段２３に保存される。
【００６２】
制御手段２２は、操作者による操作があった場合や、コンソールＣからの送信要求があった場合等には、コンソールＣへの画像データＤの送信とあわせてこのダーク読取値ｄも送信するようになっている。
【００６３】
ところで、前述したように、本実施形態では、放射線画像撮影装置１をスクリーン／フィルムカセッテやＣＲカセッテ用のブッキー装置５１に装填することが想定されており、放射線画像撮影装置１は、ＣＲカセッテにおけるＪＩＳ規格サイズ（すなわち従来のスクリーンフィルム用のカセッテにおけるＪＩＳ規格サイズ。対応する国際規格はＩＥＣ  ６０４０６。）に準拠する１４インチ×１７インチ（半切サイズ）等の寸法で形成されている。また、放射線入射方向の厚さは１５ｍｍ＋１ｍｍ〜１５ｍｍ−２ｍｍの範囲内になるように形成されている。
【００６４】
しかし、スクリーン／フィルムカセッテやＣＲカセッテ用のブッキー装置を用いない場合には、放射線画像撮影装置１を上記の寸法で形成する必要はなく、放射線画像撮影装置１を任意の大きさや形状に形成することができる。また、その際には、ブッキー装置５１は、放射線画像撮影装置１を装填することができるように、放射線画像撮影装置１の形状にあわせて形成される新規なブッキー装置を設置する必要がある。
【００６５】
次に、図１等に示す放射線画像撮影システム１００における撮影室Ｒの構成を詳しく説明する。
【００６６】
撮影室Ｒは、患者の身体の一部である被写体（患者の撮影対象部位）に放射線を照射して放射線画像撮影を行う部屋であり、図１２に示すように、被写体に放射線を照射するための放射線照射装置の放射線発生装置５２等が配置され、放射線の撮影室外への漏洩防止が施された、いわゆる撮影室Ｒａと、放射線技師等の操作者が操作する放射線照射装置の操作卓５６等が配置された前室（操作室等ともいう。）Ｒｂとを備えている。
【００６７】
なお、図１２では、１つの撮影室Ｒに１つのコンソールＣが接続されている場合が示されているが、前述したように、これは、撮影室Ｒの構成を説明する際に、撮影室ＲとコンソールＣとが１：１に接続される場合をあわせて例示したものであり、本発明をこの場合に限定するものではない。
【００６８】
本実施形態では、撮影室Ｒａには、前述した放射線画像撮影装置１を装填可能なブッキー装置５１や、被写体に照射する放射線を発生させる図示しないＸ線管球を備える放射線発生装置５２が設けられている。
【００６９】
前述したように、ブッキー装置５１は、本実施形態ではカセッテ保持部（カセッテホルダ）５１ａにＣＲカセッテを装填して用いるように形成された既存のブッキー装置であり、ＣＲカセッテのみならず放射線画像撮影装置１もカセッテ保持部５１ａに装填して用いることができるようになっている。
【００７０】
また、既存のブッキー装置５１には、当該ブッキー装置５１の識別情報であるブッキーＩＤ等の情報を放射線画像撮影装置１に通知する、電源やブッキーＩＤ情報を記憶する不揮発性メモリ、通信制御用ＣＰＵ（いずれも図示を省略。）等を有する通知手段５１ｂが新規に設けられている。通知手段５１ｂは、ブッキー装置５１に取り付けられるように設けられてもよく、或いは、ブッキー装置５１の近傍に設けられてもよい。
【００７１】
放射線画像撮影装置１のコネクタ３９に通知手段５１ｂのコネクタ５１ｃが接続されると、通知手段５１ｂは、当該通知手段５１ｂに対応するブッキー装置５１のブッキーＩＤ等の情報を放射線画像撮影装置１に通知するようになっている。
【００７２】
そして、前述したように、放射線画像撮影装置１がブッキー装置５１に装填される前に、図１３に示すように通知手段５１ｂのコネクタ５１ｃがコネクタ３９に接続され、通知手段５１ｂからブッキー装置５１の識別情報であるブッキーＩＤ等の情報が通知されてくると、放射線画像撮影装置１の制御手段２２は、ブッキーＩＤと当該放射線画像撮影装置１のカセッテＩＤとをともにコンソールＣに送信するようになっている。
【００７３】
なお、通知手段５１ｂのコネクタ５１ｃは、放射線画像撮影装置１がブッキー装置５１に装填される際には取り外されるが、コネクタ５１ｃをコネクタ３９に接続したまま放射線画像撮影装置１をブッキー装置５１に装填できる場合には接続されたまま装填するように構成してもよい。
【００７４】
また、放射線画像撮影装置１のコネクタ３９が通知手段５１ｃのコネクタ５１ｃと接続された際、当該通知手段５１ｃに対応付けられたブッキー装置に関連する放射線発生装置５２Ａがまだ起動されていない場合には、接続された段階で自動的に放射線発生装置５２Ａが起動し、当該ブッキー装置５１にあわせてその位置や放射線の照射方向等を調整するようになっている。
【００７５】
図１２に示すように、本実施形態では、撮影室Ｒａには、ブッキー装置５１として立位撮影用のブッキー装置５１Ａと臥位撮影用のブッキー装置５１Ｂの設置されている。しかし、例えば、立位撮影用のブッキー装置５１Ａのみのように、撮影室Ｒａ内に１つのブッキー装置５１のみが設けられている場合にも本発明は適用される。
【００７６】
また、本実施形態では、放射線発生装置５２のうち、１つの放射線発生装置５２Ａは、その位置や照射線の照射方向を変えることで、立位撮影用のブッキー装置５１Ａや臥位撮影用のブッキー装置５１Ｂに装填された放射線画像撮影装置１に対して放射線を照射して放射線画像撮影を行うことができるようになっている。
【００７７】
また、本実施形態では、立位撮影用や臥位撮影用のブッキー装置５１Ａ、５１Ｂには対応付けられていないポータブルの放射線発生装置５２Ｂも設けられている。ポータブルの放射線発生装置５２Ｂは、撮影室Ｒａ内のいかなる場所にも持ち運びでき、任意の方向に放射線を照射できるようになっている。
【００７８】
そして、放射線画像撮影装置１を単独の状態（すなわちブッキー装置５１に装填しない状態）で被写体である患者の身体の部分にあてがったり、臥位撮影用のブッキー装置５１Ｂや図示しないベッドと患者の身体との間に差し込んだりした状態で、ポータブルの放射線発生装置５２Ｂを用いて、適切な距離や方向から放射線を照射することができるようになっている。
【００７９】
撮影室Ｒａ内で照射された放射線が外部に漏出しないように、撮影室Ｒａは鉛などでシールドされている。そのため、撮影室Ｒａ内で放射線画像撮影装置１からアンテナ装置４１を介して画像データＤ等の情報を送受信しようとしても、そのままでは送受信できない。そこで、本実施形態では、放射線画像撮影装置１とコンソールＣとが無線通信する際に、これらの通信を中継する無線アンテナ５３を備えた基地局（無線アクセスポイント）５４が設けられている。
【００８０】
なお、図１２では、各ブッキー装置５１と基地局５４とがケーブル等で接続されているように表されているが、これはそれらの間をケーブル等の有線方式で接続することを意味するものではなく、撮影室Ｒｎｉもともとそれらを結ぶケーブル等が存在しない場合には新たに設ける必要はない。
【００８１】
基地局５４は、通信を中継する際、中継する情報に自らの基地局ＩＤ等の情報を付加するように構成されており、情報に付加された基地局５４の基地局ＩＤを見ることで、その情報がどの撮影室Ｒ（Ｒ１〜Ｒ４）から送信された情報であるかを判別することができるようになっている。
【００８２】
すなわち、基地局５４は、各撮影室Ｒに１つずつ設けられているため、基地局５４の基地局ＩＤが送信されてくると、それを受信した側が当該基地局５４が設置された撮影室Ｒから送信された情報であると判別することができ、基地局５４の基地局ＩＤが撮影室Ｒの識別情報に相当している。
【００８３】
また、基地局５４には、クレードル５５が接続されている。基地局５４は、後述するように間引きデータＤｔを放射線画像撮影装置１からコンソールＣに送信した後、当該間引きデータＤｔがコンソールＣから転送されてくると、当該間引きデータＤｔをクレードル５５に転送するようになっている。
【００８４】
クレードル５５は、通常、放射線画像撮影装置１等を保管したり充電するために用いられるものであるが、本発明では、クレードル５５は挿入された放射線画像撮影装置１の登録用に用いられるようになっている。
【００８５】
具体的には、本実施形態では、図１４に示すように、放射線画像撮影装置１が撮影室Ｒａ内に持ち込まれてクレードル５５に挿入され、放射線画像撮影装置１のコネクタ３９とクレードル５５の挿入口内に設けられたコネクタ５５ａとが接続すると、登録手段であるクレードル５５が放射線画像撮影装置１の識別情報であるカセッテＩＤを読み取り、基地局５４を介して対応するコンソールＣや管理装置Ｓ（図１等参照）に通知するようになっている。
【００８６】
また、図１５に例示するように、クレードル５５は、ＣＲＴ（Cathode Ray Tube）やＬＣＤ（Liquid Crystal Display）等からなる表示手段５５ｂを備えている。また、クレードル５５は、基地局５４を介してコンソールＣから間引きデータＤｔが転送されてくると、それをプレビュー画像として表示手段５５ｂに表示するようになっている。
【００８７】
なお、図１４や図１５では、放射線画像撮影装置１を挿入する挿入口が２個設けられたクレードル５５が示されているが、挿入口は１個でもよく、或いは３個以上設けられていてもよい。また、クレードル５５で放射線画像撮影装置１の充電等を行うように構成することも可能である。
【００８８】
また、クレードル５５は撮影室Ｒａと前室Ｒｂのいずれに設置されてもよく、撮影室Ｒａに設置される場合には、放射線発生装置５２から照射される放射線が到達しない位置、すなわち例えば各コーナー部等に設置される。さらに、テンキー等を設けたり、表示手段５５ｂをタッチパネルとする等して、クレードル５５に入力手段を設けるように構成することも可能である。
【００８９】
図１２に示すように、前室Ｒｂには、放射線発生装置５２に対して放射線の照射開始等を指示するためのスイッチ手段５６等を備えた放射線の照射を制御する操作卓５７が設けられている。なお、図１２では図示が省略されているが、操作卓５７や撮影室Ｒａ内に、後述するようにコンソールＣから送信されてくる撮影オーダ情報のリストを表示するモニタ等の表示手段を備えるように構成することも可能である。
【００９０】
コンソールＣ（図１等参照）は、図示しないＣＰＵやＲＯＭ、ＲＡＭ、入出力インターフェース等がバスに接続されたコンピュータ等で構成されている。ＲＯＭには所定のプログラムが格納されており、コンソールＣは、必要なプログラムを読み出してＲＡＭの作業領域に展開してプログラムに従って各種処理を実行するようになっている。
【００９１】
コンソールＣには、ＣＲＴやＬＣＤ等からなる表示部Ｃａが設けられており、その他、キーボードやマウス等の図示しない入力手段等が接続されている。また、コンソールＣには、ハードディスク等で構成された記憶手段Ｃｂが接続されており、記憶手段Ｃｂには、各撮影室Ｒにおける放射線画像撮影で使用可能な放射線画像撮影装置１のカセッテＩＤや、シンチレータの種類情報やサイズ情報、解像度等の情報が対応付けられたテーブルが予め記憶されている。
【００９２】
また、記憶手段Ｃｂには、撮影室Ｒの識別情報である撮影室ＩＤと、撮影室Ｒ内に設けられた基地局５４の基地局ＩＤとが対応付けられたテーブルが予め記憶されており、コンソールＣは、基地局５４を介して画像データＤ等の情報が送信されてくると、テーブルを参照して情報に付加されている基地局５４の基地局ＩＤに対応する撮影室Ｒの撮影室ＩＤを割り出し、当該情報が割り出された撮影室Ｒから送信された情報であると判別するようになっている。
【００９３】
図１等に示したように、各コンソールＣ（Ｃ１〜Ｃ３）には、各撮影室Ｒ（Ｒ１〜Ｒ４）が所定の接続の仕方で接続されており（図１の場合）、或いはネットワークＮを介して接続されている（図２の場合）。すなわち、各コンソールＣ（Ｃ１〜Ｃ３）には、各撮影室Ｒ（Ｒ１〜Ｒ４）の各基地局５４や各操作卓５７（図１、図２では図示を省略。図１２参照）が所定の接続の仕方で或いはネットワークＮを介して接続されている。
【００９４】
後述するように、コンソールＣでは、所定の撮影室Ｒで行う各放射線画像撮影の内容を表す撮影オーダ情報が撮影室単位に管理され、当該撮影オーダ情報がコンソールＣから撮影室Ｒの操作卓５７に送信されることで、各撮影時の管電流や管電圧等の撮影条件が放射線発生装置５２に自動設定可能となるよう、コンソールＣと撮影室Ｒとが対応付けられるようになっている。
【００９５】
放射線画像撮影に先立って、ネットワークＮに接続されたＨＩＳやＲＩＳから予め生成されていた放射線画像撮影の撮影オーダ情報がリスト形式で各コンソールＣに送信されるようになっている。操作者は、いずれかのコンソールＣ上で、このリストから、各撮影室で撮影を行うオーダ情報を選択する。
【００９６】
本実施形態では、撮影オーダ情報は、図１６に例示するように、患者情報としての「患者ＩＤ」Ｐ２、「患者氏名」Ｐ３、「性別」Ｐ４、「年齢」Ｐ５及び撮影条件としての「撮影部位」Ｐ６、「撮影方向」Ｐ７を含んで構成されるようになっている。そして、撮影オーダを受け付けた順に、各撮影オーダ情報に対して「撮影オーダＩＤ」Ｐ１が自動的に割り当てられるようになっている。
【００９７】
なお、撮影オーダ情報に書き込む患者情報や撮影条件の内容は、上記のものに限定されず、例えば、患者の生年月日、診察回数、放射線の線量、太っているか痩せているか等の情報を含むように構成することも可能であり、適宜設定することができる。
【００９８】
ＨＩＳやＲＩＳから放射線画像撮影の撮影オーダ情報を取得すると、コンソールＣの表示部Ｃａには、図１７に示すように、リスト形式の各撮影オーダ情報の一覧が選択画面Ｈ１として表示されるようになっている。
【００９９】
本実施形態では、選択画面Ｈ１には、各撮影オーダ情報の一覧を表示するための撮影オーダ情報表示欄ｈ１１が設けられており、撮影オーダ情報表示欄ｈ１１の左側には、目的の撮影室Ｒで撮影する予定の撮影オーダ情報を選択するための選択ボタンｈ１２が各撮影オーダ情報に対応して設けられている。また、撮影オーダ情報表示欄ｈ１１の下側には、決定ボタンｈ１３及び戻るボタンｈ１４が設けられている。
【０１００】
操作者は、選択ボタンｈ１２をクリックして目的の撮影室Ｒで撮影する予定の撮影オーダ情報を単数または複数選択し、決定ボタンｈ１３をクリックする。そして、図示を省略するが、決定ボタンｈ１３をクリックした後に表示される撮影室Ｒ１〜Ｒ４を選択する画面で目的の撮影室Ｒを選択する。各撮影オーダ情報と目的の撮影室Ｒとが選択されると、選択された各撮影オーダ情報のリストが目的の撮影室Ｒの撮影室ＩＤと対応付けられて記憶手段Ｃｂに保存される。
【０１０１】
また、それとともに、操作者が操作したコンソールＣから選択された各撮影オーダ情報のリストが目的の撮影室Ｒの操作卓５７等に送信される。このように、撮影オーダ情報のリストがコンソールＣから目的の撮影室Ｒに送信されることで、前述したように、コンソールＣと目的の撮影室Ｒとが対応付けられるようになっている。
【０１０２】
なお、撮影オーダ情報のリストを作成する前に、目的の撮影室Ｒを先に選択してコンソールＣと目的の撮影室Ｒとを対応付けるように構成することも可能である。また、図１のコンソールＣ１と撮影室Ｒ１のように、コンソールＣと撮影室Ｒとが予め１対１に対応付けられている場合には、操作者が決定ボタンｈ１３をクリックした後の撮影室Ｒを選択する画面の表示を省略するように構成することも可能である。
【０１０３】
撮影室Ｒを選択する画面で目的の撮影室Ｒが選択されると、コンソールＣは、続いて、管理装置Ｓ（図１、図２参照）から当該目的の撮影室Ｒ内に現時点で存在する放射線画像撮影装置１の情報を入手して、表示部Ｃａに、図１８や図１９に例示するように、各種のアイコンＩを表示するようになっている。
【０１０４】
具体的には、本実施形態では、図１８や図１９に示すように、選択画面Ｈ２の左側に、「立位」および「臥位」の表記を矩形状の枠線で囲む状態で、立位撮影用のブッキー装置５１Ａと臥位撮影用のブッキー装置５１Ｂに対応するアイコンＩ−５１Ａ、Ｉ−５１Ｂがそれぞれ表示されている。また、選択画面Ｈ２の右側には、撮影室Ｒａ内に存在する放射線画像撮影装置１に対応するアイコンＩ−１ａ〜Ｉ−１ｃがそれぞれ表示されており、各アイコンＩ−１ａ〜Ｉ−１ｃのそれぞれの矩形状の枠線内に１〜３の番号が付されて表示されている。
【０１０５】
本実施形態では、コンソールＣは、放射線画像撮影装置１がブッキー装置５１に装填されていなければ、当該ブッキー装置５１に対応するアイコンＩの枠線を破線で表示して（図１８の「立位」Ｉ−５１Ａ、「臥位」Ｉ−５１Ｂおよび図１９の「立位」Ｉ−５１Ａ参照）、そのブッキー装置５１には放射線画像撮影装置１が装填されていないことを表示するようになっている。
【０１０６】
また、コンソールＣは、放射線画像撮影装置１がブッキー装置５１に装填されている場合（より正確には撮影室Ｒ内で放射線画像撮影装置１のコネクタ３９が通知手段５１ｂのコネクタ５１ｃに接続された場合）には、当該ブッキー装置５１に対応するアイコンＩの枠線を実線で表示する。
【０１０７】
そして、枠線内を所定の色で着色して表示して（図１９の「臥位」Ｉ−５１Ｂ参照）、そのブッキー装置５１に放射線画像撮影装置１が装填されていることをアイコン表示するようになっている。なお、図１９では、「臥位」のアイコンＩ−５１Ｂの近傍に、臥位撮影用のブッキー装置５１Ｂに装填されている放射線画像撮影装置１の番号や解像度等が表示されている。
【０１０８】
本実施形態では、例えば図１８や図１９に示した放射線画像撮影装置１に対応するアイコンＩ−１をクリックすることにより、当該放射線画像撮影装置１をこれから使用する放射線画像撮影装置であるとして選択することができるようになっている。前述したように、放射線画像撮影装置１の選択スイッチ３８を押下した場合も同様に、当該放射線画像撮影装置１をこれから使用する放射線画像撮影装置であるとして選択することができる。
【０１０９】
また、コンソールＣは、対応付けられた撮影室Ｒに新たに放射線画像撮影装置１が持ち込まれる等して、撮影室Ｒの登録手段であるクレードル５５から当該放射線画像撮影装置１の識別情報であるカセッテＩＤが通知されてくると、コンソールＣの表示部Ｃａの選択画面Ｈ２上に、当該放射線画像撮影装置１に対応するアイコンＩ−１を新たに表示させるようになっている。
【０１１０】
また、例えば、図１８に示した番号３の放射線画像撮影装置１に対応するアイコンＩ−１ｃをクリックした後、臥位撮影用のブッキー装置５１Ｂに対応するアイコンＩ−５１Ｂをクリックしたり、或いは、アイコンＩ−１ｃをアイコンＩ−５１Ｂ上にドラッグアンドドロップする等のアイコン操作により、番号３の放射線画像撮影装置１を臥位撮影用のブッキー装置５１Ｂに装填することを予め指定することができるようになっている。このように操作すると、選択画面Ｈ２は図１８の状態から図１９の状態に切り替わる。
【０１１１】
本実施形態では、このようにしてコンソールＣの選択画面Ｈ２上でブッキー装置５１に装填される放射線画像撮影装置１が予め指定されると、その時点でコンソールＣから選択された撮影室Ｒに当該ブッキー装置５１が指定されたことを表す信号が当該撮影室Ｒの操作卓５７に送信されるようになっている。
【０１１２】
そして、操作卓５７は、信号が送信されてくると、放射線発生装置５２Ａ（図１２参照）を起動させるとともに、送信されてきた信号に基づいて指定されたブッキー装置５１（例えば臥位撮影用のブッキー装置５１Ｂ）に放射線を適切に照射できるように放射線発生装置５２Ａを移動させ、放射方向を調整し、また、ブッキー装置５１の所定の範囲内に放射線が照射されるように図示しない絞りを調整し、適切な線量の放射線が照射されるように放射線発生装置５２を調整するようになっている。
【０１１３】
このように構成すれば、コンソールＣでの操作で予め放射線発生装置５２を起動させておくことが可能となり、操作者が撮影室Ｒに移動した段階で即座に放射線画像撮影を行うことが可能となるといった利点がある。
【０１１４】
なお、上記のように、コンソールＣの選択画面Ｈ２上で放射線画像撮影装置１をブッキー装置５１に装填することを指定したにもかかわらず、撮影室Ｒに移動した操作者が、当該放射線画像撮影装置１を当該ブッキー装置５１に装填せずに撮影を行おうとした場合に、例えば音声を発して警告する等の処理が行われるように構成することも可能である。
【０１１５】
また、図１８や図１９では図示を省略したが、撮影室Ｒ内にポータブルの放射線発生装置５２Ｂ（図１２参照）が存在する場合には、それに対応するアイコンＩをコンソールＣの選択画面Ｈ２上に表示し、上記の放射線発生装置５２Ａの場合と同様にして、ポータブルの放射線発生装置５２ＢをコンソールＣの操作によって起動させるように構成することも可能である。
【０１１６】
なお、以上は、放射線画像撮影に先立って操作者がコンソールＣを操作する際の状況であるが、操作者が撮影室Ｒに移動した後、例えば、放射線画像撮影装置１の選択スイッチ３８を押下して放射線画像撮影装置１から自らが選択されたことを示す選択信号が送信されてくると、コンソールＣは、その選択画面Ｈ２上で当該放射線画像撮影装置１に対応するアイコンＩ−１が着色されて表示される等して当該放射線画像撮影装置１が選択されたことを表示するようになっている。
【０１１７】
前述したように、操作者により撮影室Ｒ内で放射線画像撮影装置１のコネクタ３９に通知手段５１ｂのコネクタ５１ｃが接続されて（図１３参照）、放射線画像撮影装置１からアンテナ装置４１を介してブッキーＩＤと当該放射線画像撮影装置１のカセッテＩＤとがコンソールＣに送信されてくる。
【０１１８】
その際、例えば、図１８の番号３の放射線画像撮影装置１が臥位撮影用のブッキー装置５１Ｂに対応する通知手段５１ｂと接続されると、コンソールＣは、選択画面Ｈ２を、図１８に示した状態から当該放射線画像撮影装置１が臥位撮影用のブッキー装置５１Ｂに装填されたことを表す図１９に示した状態に切り替えるようになっている。
【０１１９】
一方、対応付けられた撮影室Ｒで撮影オーダ情報に基づく放射線画像撮影が終了した段階で、アンテナ装置４１や基地局５４を介して放射線画像撮影装置１から前述した間引きデータＤｔが送信されてくると、コンソールＣは、当該間引きデータＤｔに付加された基地局ＩＤを参照して、当該間引きデータＤｔを当該基地局５４すなわち当該放射線画像撮影が行われた撮影室Ｒに転送するようになっている。
【０１２０】
なお、その際、間引きデータＤｔはプレビュー画像としてコンソールＣの表示部Ｃａにも表示される。なお、この表示を操作者による操作があった場合にだけ行うように構成することも可能である。また、撮影オーダ情報に基づいて撮影された画像データＤから作成された間引きデータＤｔを当該撮影オーダ情報に対応付けて記憶手段Ｃｂに保存するように構成することも可能である。
【０１２１】
また、コンソールＣは、上記のように間引きデータＤｔが送信されてきた後、当該間引きデータＤｔの作成の基となった対応する画像データＤやダーク読取処理で読み出されたダーク読取値ｄが、放射線画像撮影装置１からアンテナ装置４１や基地局５４を介して送信されてくると、それらのデータを各撮影オーダ情報に対応付けて記憶手段Ｃｂに保存するようになっている。
【０１２２】
また、コンソールＣ上では、画像データＤやダーク読取値ｄに基づいて画像処理が行われ、当該撮影オーダ情報に基づく最終的な診断用放射線画像が生成されるが、この最終的な診断用放射線画像が生成されると、コンソールＣはその最終的な診断用放射線画像も当該撮影オーダ情報に対応付けて記憶手段Ｃｂに保存するようになっている。
【０１２３】
なお、本発明では、放射線画像撮影装置１が例えば撮影室Ｒ１から撮影室Ｒ２に持ち運ばれ、当該放射線画像撮影装置１が撮影室Ｒ２の登録手段であるクレードル５５に挿入されて、クレードル５５から当該放射線画像撮影装置１の識別情報であるカセッテＩＤが管理装置ＳやコンソールＣに通知されてきた場合に、撮影室Ｒ２に対応付けられたコンソールＣでは選択画面Ｈ２上に当該放射線画像撮影装置１に対応するアイコンＩ−１を新たに表示させ、撮影室Ｒ１に対応付けられたコンソールＣでは選択画面Ｈ２上から当該放射線画像撮影装置１に対応するアイコンＩ−１が削除される。この点については、以下で説明する管理装置Ｓの説明の中で説明する。
【０１２４】
管理装置Ｓ（図１等参照）は、図示しないＣＰＵやＲＯＭ、ＲＡＭ、入出力インターフェース等がバスに接続されたサーバコンピュータ等で構成されている。また、管理装置Ｓには、ハードディスク等で構成された記憶手段Ｓａが接続されており、記憶手段Ｓａには、撮影室Ｒの識別情報である撮影室ＩＤと、撮影室Ｒ内に設けられた基地局５４の基地局ＩＤとが対応付けられたテーブルが予め記憶されている。
【０１２５】
そして、管理装置Ｓは、基地局５４を介し、図１や図３に示すシステムではコンソールＣを介し、図２や図４に示すシステムではネットワークＮを介して種々の情報が送信されてくると、テーブルを参照して情報に付加されている基地局５４の基地局ＩＤに対応する撮影室Ｒの撮影室ＩＤを割り出し、当該情報が割り出された撮影室Ｒから送信された情報であると判別するようになっている。
【０１２６】
管理装置Ｓは、放射線画像撮影装置１の識別情報であるカセッテＩＤと撮影室Ｒの識別情報である撮影室ＩＤとを対応付けて、放射線画像撮影装置１が複数の撮影室Ｒ１〜Ｒ４のうちのいずれの撮影室Ｒに存在するか、或いはいずれの撮影室Ｒにも存在しないかを管理するようになっている。
【０１２７】
具体的には、放射線画像撮影装置１が撮影室Ｒに持ち込まれて登録手段であるクレードル５５に挿入され、クレードル５５から基地局５４を介して放射線画像撮影装置１の識別情報であるカセッテＩＤが基地局５４の基地局ＩＤとともに通知されてくると、管理装置Ｓは、当該基地局５４の基地局ＩＤに対応する撮影室Ｒの識別情報である撮影室ＩＤを割り出し、撮影室ＩＤと放射線画像撮影装置１のカセッテＩＤとを対応付けて記憶手段Ｓａに保存する。
【０１２８】
その際、当該放射線画像撮影装置１がこの放射線画像撮影システム１００に新たに導入されたような場合には、上記のようにして撮影室ＩＤと新たに導入された放射線画像撮影装置１のカセッテＩＤとが対応付けられて記憶手段Ｓａに保存されるだけである。しかし、当該放射線画像撮影装置１のカセッテＩＤが既に放射線画像撮影システム１００で使用されていて、それ以前に、他の撮影室Ｒの撮影室ＩＤと対応付けられていた場合には、記憶手段Ｓａにおける以前の撮影室Ｒの撮影室ＩＤと当該放射線画像撮影装置１のカセッテＩＤとの対応付けを破棄するようになっている。
【０１２９】
ところで、前述したように、撮影室Ｒに新たに放射線画像撮影装置１が持ち込まれる等して当該撮影室Ｒのクレードル５５から当該放射線画像撮影装置１のカセッテＩＤが通知されてくると、当該撮影室Ｒに対応付けられたコンソールＣは、自ら選択画面Ｈ２上に当該放射線画像撮影装置１に対応するアイコンＩ−１を新たに表示させる。
【０１３０】
しかし、当該放射線画像撮影装置１がそれ以前に存在していた他の撮影室Ｒに対応付けられたコンソールＣは、当該撮影室Ｒから当該放射線画像撮影装置１が持ち出されたことを把握できない。そのため、放射線画像撮影装置１は撮影室Ｒにはもはや存在しなくなったにもかかわらず、撮影室Ｒに対応付けられたコンソールＣの選択画面Ｈ２上には、依然として当該放射線画像撮影装置１に対応するアイコンＩ−１が表示され続ける状態となる。
【０１３１】
このような状態で、例えば、コンソールＣの選択画面Ｈ２上で撮影室Ｒにはもはや存在しない放射線画像撮影装置１に対応するアイコンＩ−１がブッキー装置５１に対応するアイコンＩ−５１（すなわち本実施形態ではＩ−５１ＡまたはＩ−５１Ｂ。以下同じ。）にドラッグアンドドロップする等の操作がなされて当該放射線画像撮影装置１を例えば臥位撮影用のブッキー装置５１Ｂに装填することが指定されてしまうと、コンソールＣがブッキー装置５１に放射線を照射できるように放射線発生装置５２Ａが起動されてしまい、無駄な電力が消費されたり、誤って放射線が照射されてしまう等の不都合が生じる虞れがある。
【０１３２】
そこで、管理装置Ｓは、上記のように撮影室Ｒのクレードル５５から通知されてきた放射線画像撮影装置１のカセッテＩＤが、それ以前に、他の撮影室Ｒの撮影室ＩＤと対応付けられていた場合、記憶手段Ｓａにおける当該他の撮影室Ｒの撮影室ＩＤと当該放射線画像撮影装置１のカセッテＩＤとの対応付けを破棄する。また、それと同時に、当該他の撮影室Ｒに対応付けられたコンソールＣに対して、削除信号とともに当該放射線画像撮影装置１のカセッテＩＤを送信し、コンソールＣに、選択画面Ｈ２上から当該放射線画像撮影装置１のカセッテＩＤに対応するアイコンＩ−１を削除させるようになっている。
【０１３３】
すなわち、コンソールＣの表示部Ｃａの選択画面Ｈ２上に、図１８に示したように放射線画像撮影装置１に対応するアイコンＩ−１ａ〜Ｉ−１ｃが表示されていたとすると、例えば、その中から番号３の放射線画像撮影装置１が当該撮影室Ｒから他の撮影室Ｒに持ち運ばれた場合には、撮影室Ｒに対応付けられたコンソールＣの選択画面Ｈ２上に新たに番号３の放射線画像撮影装置１に対応するアイコンＩ−１ｃが表示され、元のコンソールＣの選択画面Ｈ２上からは、図２０に示すように番号３の放射線画像撮影装置１に対応するアイコンＩ−１ｃが削除される。
【０１３４】
また、番号３の放射線画像撮影装置１が図１９に示したように例えば臥位撮影用のブッキー装置５１Ｂに装填されているように表示されていた場合でも、番号３の放射線画像撮影装置１が撮影室Ｒから他の撮影室Ｒに持ち運ばれてクレードル５５で登録された場合には、元のコンソールＣの選択画面Ｈ２上からは、図２０に示したように、番号３の放射線画像撮影装置１が装填されている臥位撮影用のブッキー装置５１ＢのアイコンＩ−５１Ｂから当該放射線画像撮影装置１が装填されていることを示す表示（すなわちアイコンＩ−５１Ｂの枠線の実線化および着色）が削除され、臥位撮影用のブッキー装置５１Ｂに対応するアイコンＩ−５２Ｂは元の破線の状態（すなわち放射線画像撮影装置１が装填されていない状態）に戻る。
【０１３５】
このように構成すれば、当該放射線画像撮影装置１が持ち込まれてクレードル５５に挿入された撮影室Ｒに対応するコンソールＣでは、その選択画面Ｈ２上に新たに当該放射線画像撮影装置１に対応するアイコンＩ−１が表示されるとともに、当該放射線画像撮影装置１が持ち出された撮影室Ｒに対応するコンソールＣの選択画面Ｈ２からは、当該放射線画像撮影装置１に対応するアイコンＩ−１が削除される。
【０１３６】
なお、管理装置Ｓから元のコンソールＣに対して削除信号と当該放射線画像撮影装置１のカセッテＩＤとが送信された際に、元のコンソールＣの表示部Ｃａに選択画面Ｈ２が表示されていない場合もある。その場合、元のコンソールＣは、削除信号等を受信すると、選択画面Ｈ２として表示する内容の情報が一時的に保存されている自己のメモリ中から当該放射線画像撮影装置１に対応するアイコンＩ−１の情報を削除することで、次に選択画面Ｈ２の表示が指示された際に、選択画面Ｈ２上に当該放射線画像撮影装置１に対応するアイコンＩ−１を表示しないようになっている。
【０１３７】
次に、本実施形態に係る放射線画像撮影システム１００の作用について説明する。
【０１３８】
上記のように、本実施形態に係る放射線画像撮影システム１００では、特許文献１に記載された放射線画像撮影システムのように、放射線画像撮影装置の各支持台にそれぞれ表示部を設けることを要求せず、表示手段５５ｂを備えたクレードル５５（登録手段）を撮影室Ｒに設置するだけである。そのため、各支持台にそれぞれ表示部を設ける手間が省ける。
【０１３９】
また、放射線画像撮影が行われると、放射線画像撮影装置１から基地局５４を介してコンソールＣにプレビュー用の間引きデータＤｔが送信され、この間引きデータＤｔがコンソールＣから基地局５４を介してクレードル５５に転送される。このようにして、放射線画像撮影の直後にその撮影で得られた画像のプレビュー画像が、撮影室Ｒ内のクレードル５５の表示手段５５ｂに表示される。
【０１４０】
そのため、撮影室Ｒ内で撮影を行った放射線技師等の操作者がいちいち撮影室Ｒを出てコンソールＣの表示画面Ｃａ上に表示されたプレビュー画像を見る必要がなくなる。操作者は、撮影室Ｒの前室ＲｂでＸ線照射スイッチ操作を行い、次の撮影用に前室Ｒｂから撮影室Ｒａ内に戻り、撮影室Ｒ内にいたままでプレビュー画像を見ることが可能となる。そのため、本実施形態に係る放射線画像撮影システム１００は、操作者にとって非常に使い勝手がよいものとなる。
【０１４１】
また、撮影室Ｒ内にいる操作者がその場でプレビュー画像を見ることができるため、被写体が放射線画像撮影装置１で正しく撮影されているか否かを判断し、再撮影の要否を即座に判断することが可能となる。そのため、再撮影の要否の判断がつくまで患者を長い間待たせることがなくなり、患者の負担を軽減することも可能となる。また、Ｘ線照射スイッチ操作の際に患者を撮影室Ｒａ内に1人きりに放置する時間が極めて短時間になり、患者のケアを十分に行うことが可能となる。
【０１４２】
一方、撮影室Ｒ内に持ち込まれた放射線画像撮影装置１が登録手段であるクレードル５５に挿入されると、クレードル５５が放射線画像撮影装置１の識別情報であるカセッテＩＤを読み取る。そして、基地局５４を介してそのカセッテＩＤの情報が管理装置Ｓに通知される。管理装置Ｓは、通知されてきたカセッテＩＤと撮影室Ｒの識別情報である撮影室ＩＤとを対応付けて記憶手段Ｓａに保存する。
【０１４３】
また、図１等に示したように、撮影室Ｒ（Ｒ１〜Ｒ４）が複数存在する場合には、管理装置Ｓは、基地局５４を介して放射線画像撮影装置１のカセッテＩＤの情報が通知されてくると、カセッテＩＤの情報に付加された基地局ＩＤから当該基地局５４と対応付けられた撮影室Ｒを割り出し、その撮影室Ｒの識別情報である撮影室ＩＤと当該放射線画像撮影装置１のカセッテＩＤ（識別情報）とを対応付けて記憶手段Ｓａに保存する。
【０１４４】
そして、管理装置Ｓは、当該放射線画像撮影装置１の識別情報であるカセッテＩＤがそれ以前に他の撮影室Ｒの識別情報である撮影室ＩＤと対応付けられていた場合には、その対応付けを破棄する。このようにして、管理装置Ｓで、放射線画像撮影装置１がいずれの撮影室Ｒに存在するか、或いはその放射線画像撮影装置１がいずれの撮影室Ｒにも存在しないかが的確に管理される。
【０１４５】
そのため、放射線画像撮影装置１がいずれの撮影室Ｒに存在するかを的確に把握して、目的の放射線画像撮影装置１から目的の患者の画像データを確実に入手することが可能となるため、コンソールＣ上で目的の患者の画像データを的確に処理することが可能となる。
【０１４６】
また、例えば、放射線画像撮影装置１が撮影室Ｒから他の撮影室Ｒに持ち運ばれたにもかかわらず、コンソールＣ側で当該放射線画像撮影装置１が最初の撮影室Ｒ内にあるものと判断して、最初の撮影室Ｒ内にある別の放射線画像撮影装置１から目的の患者とは別人の画像データを取得し、別人の画像データを目的の患者の画像データとして誤って処理してしまうようなシステム制御上の不具合が発生することが回避される。
【０１４７】
しかも、各撮影室Ｒに表示手段５５ｂを備えた登録手段（クレードル５５）を備え、また、それらからの情報を管理するサーバ等からなる管理装置Ｓを設けるだけで、上記のようにシステム制御上の不具合を的確に回避してシステムの適切な運用を図ることが可能となる。また、表示手段５５ｂを備えた登録手段（クレードル５５）や管理装置Ｓを設けるだけで、コスト面でも安価にシステムを構築することが可能となる。
【０１４８】
以上のように、本実施形態に係る放射線画像撮影システム１００によれば、既存のシステムに対して、撮影室Ｒに表示手段５５ｂを備えた登録手段（クレードル５５）を設置したりサーバ等からなる管理装置Ｓを設置するだけでシステムを構成することができる。そのため、システムを容易に構築することが可能となる。
【０１４９】
また、放射線画像撮影が行われると、放射線画像撮影装置１からコンソールＣに自動的にプレビュー用の間引きデータＤｔが送信され、コンソールＣから転送された間引きデータＤｔが自動的に登録手段の表示手段５５ｂに表示される。そのため、撮影室Ｒの前室ＲｂでＸ線照射スイッチ操作を行い、次の撮影用に前室Ｒｂから撮影室Ｒａ内に戻り、撮影室Ｒａ内にいる放射線技師等の操作者がその場でプレビュー画像を見ることが可能となり、再撮影要否を判断できるので次の撮影に迅速に着手可能となる。そのため、操作者にとって非常に使い勝手がよいものとなる。また、Ｘ線照射スイッチ操作の際に患者を撮影室Ｒａ内に1人きりに放置する時間が極めて短時間になり、患者のケアを十分に行うことが可能となる。
【０１５０】
さらに、放射線画像撮影装置１が撮影室Ｒの登録手段（クレードル５５）で登録されると、その識別情報（カセッテＩＤ）が基地局５４を介して管理装置Ｓに通知され、管理装置Ｓは、通知されてきた当該放射線画像撮影装置１の識別情報と撮影室Ｒの識別情報（撮影室ＩＤ）とを対応付けて記憶手段Ｓａに保存する。また、管理装置Ｓは、当該放射線画像撮影装置１の識別情報がそれ以前に他の撮影室Ｒの識別情報と対応付けられていた場合にはその対応付けを破棄する。
【０１５１】
そのため、管理装置Ｓで、放射線画像撮影装置１がいずれの撮影室Ｒに存在するか、或いはその放射線画像撮影装置１がいずれの撮影室Ｒにも存在しないかを的確に管理することが可能となる。また、目的の放射線画像撮影装置１がいずれの撮影室Ｒに存在するかを的確に把握して、目的の放射線画像撮影装置１から目的の患者の画像データを確実に入手することが可能となる。
【０１５２】
そして、このように目的の放射線画像撮影装置１から目的の患者の画像データを確実に入手できるため、例えば、目的の患者を撮影した本来の放射線画像撮影装置１とは別の放射線画像撮影装置１から別人の画像データを取得して、誤って目的の患者の画像データとして処理してしまうようなシステム制御上の不具合が発生することを的確に回避することが可能となり、放射線画像撮影システム１００の適切な運用を図ることが可能となる。
【０１５３】
また、その他、本発明が本実施の形態に限定されず、適宜変更可能であることはいうまでもない。
【符号の説明】
【０１５４】
１  放射線画像撮影装置（可搬型放射線画像撮影装置）
５５  登録手段
５５ｂ  表示手段
１００  放射線画像撮影システム
Ｃ  コンソール
Ｃ１〜Ｃ３  複数のコンソール
Ｄ  画像データ
Ｄｔ  間引きデータ
Ｒ  撮影室
Ｒ１〜Ｒ４  複数の撮影室
Ｓ  管理装置
【図１】
0005407750.tif 000002
【図２】
0005407750.tif 000003
【図３】
0005407750.tif 000004
【図４】
0005407750.tif 000005
【図５】
0005407750.tif 000006
【図６】
0005407750.tif 000007
【図７】
0005407750.tif 000008
【図８】
0005407750.tif 000009
【図９】
0005407750.tif 000010
【図１０】
0005407750.tif 000011
【図１１】
0005407750.tif 000012
【図１２】
0005407750.tif 000013
【図１３】
0005407750.tif 000014
【図１４】
0005407750.tif 000015
【図１５】
0005407750.tif 000016
【図１６】
0005407750.tif 000017
【図１７】
0005407750.tif 000018
【図１８】
0005407750.tif 000019
【図１９】
0005407750.tif 000020
【図２０】
0005407750.tif 000021